(57)【要約】      （修正有）【課題】グリップをシャフトに対して常に一定の向きで取り付けることができ、グリップのシャフトに対する固定が緩むことがなく、グリップとシャフトの着脱を簡単に行うことができるステッキを提供する。【解決手段】グリップ２がシャフト１に対し着脱自在なグリップ取替ステッキであって、グリップ２は、シャフト側に向けてシャフト１を挿入可能な内径を有し、外周に鍔部２２、下端に切欠部２３をそれぞれ有するパイプ部２１と、パイプ部２１の外周に遊嵌され、上端に鍔部２２と係止可能な係止部３１と、内周に雌ネジ部３２を有するリング３を備え、シャフト１は切欠部２３と係合可能な凸部１２を有する挿入部１１と雄ネジ部１３を有し、パイプ部２１の切欠部２３を挿入部１１の凸部１２と係合させ、リング３の雌ネジ部３２をパイプ部２１に挿入された雄ネジ部１３と螺合させることでシャフト１に対するグリップ２の上下方向の動きが規制されるようにした。【選択図】図１
2015208343.tif 000002
【特許請求の範囲】
【請求項１】
グリップがシャフトの上部に対し着脱自在に取り付けられるグリップ取替ステッキであって、
前記グリップは、
前記シャフト側に向けて該シャフトの一端を挿入可能な内径を有し、外周に鍔部、下端に切欠部をそれぞれ有するパイプ部と、
前記パイプ部の外周に遊嵌されていて、上端に前記鍔部と係止可能な係止部と、内周に雌ネジ部を有するリングを備え、
前記シャフトは、
前記パイプ部に挿入可能な外径を有し、外周に前記切欠部と係合可能な凸部を有する挿入部と、
前記挿入部より下方の外周に前記雌ネジ部と螺合可能な雄ネジ部を有し、
前記パイプ部の前記切欠部を、該パイプ部に挿入された前記挿入部の前記凸部と係合させることで、前記シャフトに対する前記グリップの回転方向の動きが規制され、
前記リングの前記雌ネジ部を、前記パイプ部に挿入された前記シャフトの前記雄ネジ部と螺合させることで、前記シャフトに対する前記グリップの上下方向の動きが規制されるようにしたことを特徴とするグリップ取替ステッキ。
【請求項２】
前記凸部が、棒状部材を前記挿入部に対し径方向に挿通させて、該棒状部材の両側を前記挿入部の外周面から突出させてなることを特徴とする請求項１に記載のグリップ取替ステッキ。
【請求項３】
前記挿入部は、一部が外周面から突出するように内側から外側へ付勢されたクリックボールを備え、
前記パイプ部は、前記クリックボールと係合可能な凹部を有し、
前記パイプ部の前記切欠部を、該パイプ部に挿入された前記挿入部の前記凸部と係合させたときに、前記クリックボールが前記凹部と係合するようにしたことを特徴とする請求項１又は２に記載のグリップ取替ステッキ。
【発明の詳細な説明】
【技術分野】
【０００１】
本発明は、高齢者や身体的な障害を持つ者が歩行の補助として用いるステッキに関する。
【背景技術】
【０００２】
従来、高齢者や身体的な障害を持つ者は歩行の補助としてステッキを使用している。通常、ステッキのシャフトとグリップは一体で形成されているか、あるいはシャフトとグリップを別素材としている場合であってもシャフトとグリップは固着されていて分離できない構造となっている。
【０００３】
しかし、ステッキのグリップを握った感触がフィットしなかったり、あるいは長年使用している場合にはグリップが劣化してきたりして、シャフトはそのままでグリップのみを交換したい場合がある。あるいは、逆に使い慣れたグリップはそのまま残し、シャフトのみを新替したいという場合もある。そこで、このような要望に応えステッキのグリップを交換可能としたものとして、例えば特許文献１として示す実開平１−１５２５１７号公報や特許文献２として示す特開２００８−４８９４７号公報に記載されたステッキが提案されている。
【０００４】
これら特許文献１と特許文献２に記載されたステッキはいずれも、グリップの下端面に雄ネジ部を突設し、シャフトの上端面に雌ネジ部を設け、グリップの雄ネジ部をシャフトの雌ネジ部にねじ込むことによりシャフトとグリップを一体化するようにしている。しかし、このように単にねじ込んだだけでは使用過程においてシャフトとグリップの螺合が緩んでしまったり、あるいはねじ込み時の力加減によりグリップのシャフトに対する向きが一定せず、路面に対する石突の向きが変わってしまうという問題があった。
【０００５】
そこで、このような問題点を解決しグリップが緩むことがないようにすることを目的として、特許文献３として示す特許第５２６１１６２号公報には、シャフトの上端部に雌ネジ部を、グリップの下端部に雄ネジ部をそれぞれ有しこれらを螺合させることによりシャフトとグリップを着脱自在とすることに加えてグリップ下端部の雄ネジ部の下端に周方向に係合溝を設け、シャフトの前面部に雌ネジ部を有する取付孔を径方向に形成し、該雌ネジ部に螺合される止ネジの先端部がグリップ下端の係合溝に係合するように構成された杖が記載されている。
【先行技術文献】
【特許文献】
【０００６】
【特許文献１】実開平１−１５２５１７号公報
【特許文献２】特開２００８−４８９４７号公報
【特許文献３】特許第５２６１１６２号公報
【発明の概要】
【発明が解決しようとする課題】
【０００７】
特許文献３に記載の杖は、グリップ下端部の雄ネジ部の下端に周方向に設けられた係合溝に、シャフト前面部の雌ネジ部から止ネジをねじ込んで止ネジの先端部を係合させるようにしたことにより、グリップが回転して抜けてしまうことを防止することに関しての効果はある。
【０００８】
しかし、特許文献３に示されるような方式の場合次のような問題点があった。まず、止ネジを係合溝に丁度良い位置で係合させるためには、グリップのシャフトに対する締め込み量を調節する必要があり、常時完全に締め込めるとは限らない。すなわち、グリップをシャフトに対して完全に締め込んだ位置で止ネジが係合溝に最適位置となって係合できるとは限らないため、グリップがシャフトから抜けてしまうようなことはないが、グリップのシャフトに対する締め込み状態が緩くてシャフトがぐらついてしまうおそれがある。さらに、係合溝は周方向に設けられているため、係合溝に対し止ネジが係合している状態であってもグリップはシャフトに対して若干は回動可能であり、グリップがシャフトに対して回動することを完全に防止することはできていない。
【０００９】
また、シャフトやグリップを交換してシャフトに対してグリップを締め込んだ場合に、係合溝を止ネジの位置と合わせるために締め込み量を調節する必要があり、シャフトに対するグリップの向きが一定とはならない。シャフト先端（石突）に取り付けられている脚ゴムは使用により一般的には斜めに摩耗するため、グリップのシャフトに対する向きが一定にならないと、グリップを交換した際にシャフト先端の脚ゴムの接地面の向きがそれまでと異なるため、使用者が違和感を覚えることとなる。
【００１０】
さらに、近年例えば図７に示すように、ステッキ不使用時の転倒を防止するためにステッキを机Ｄの縁などに掛止することを目的として、ステッキのシャフトＡに回動可能なスタンドＢを取り付け、スタンドＢの使用時にはこれをシャフトＡから開いて使用するようにしたスタンド付きステッキがある。この場合、ステッキを机の縁などに掛止した際のシャフトとグリップのバランスをとる必要性から、スタンドに対するグリップの向きが重要であり、グリップを交換したときにシャフトに対するグリップの向きが変わってしまうと不都合が生じる場合がある。
【００１１】
また、図８に示すように、シャフトが外パイプＧとその外パイプＧ内を摺動する内パイプＦとにより構成されていて長さ調整が可能なステッキの場合、外パイプＧに所望間隔で形成され内パイプＦに設けられた係合用のボタンＨと係合する穴Ｅは、操作性とデザイン上の要請から杖使用時の背面側、すなわちグリップの柄が長い側と一致していることが好ましい。したがって、グリップを交換したときにシャフトに対するグリップの向きが変わってしまう事態は、グリップに対する穴Ｅの位置が一致しなくなってしまうため望ましくない。
【００１２】
また、ねじ回しを用いて小さな止ネジを係合溝の位置に合わせて係合させる作業が必要となるが、このような道具を必要とする細かな作業は特に高齢者などにとっては手先の鈍さや視力の衰えから困難を伴う作業である。
【００１３】
本発明は、このような問題点を解決するためになされたものであり、その目的とするところは、グリップをシャフトに対して常に一定の向きで取り付けることができ、また使用時にグリップやシャフトが勝手に回転してグリップとシャフトの螺合が緩んでしまうようなことがなく、さらにグリップとシャフトの着脱を簡単に行うことができるようにしたステッキを提供することである。
【課題を解決するための手段】
【００１４】
上記の目的を達成するために、本発明のグリップ取替ステッキは、グリップがシャフトの上部に対し着脱自在に取り付けられるグリップ取替ステッキであって、前記グリップは、前記シャフト側に向けて該シャフトの一端を挿入可能な内径を有し、外周に鍔部、下端に切欠部をそれぞれ有するパイプ部と、前記パイプ部の外周に遊嵌されていて、上端に前記鍔部と係止可能な係止部と、内周に雌ネジ部を有するリングを備え、前記シャフトは、前記パイプ部に挿入可能な外径を有し、外周に前記切欠部と係合可能な凸部を有する挿入部と、前記挿入部より下方の外周に前記雌ネジ部と螺合可能な雄ネジ部を有し、前記パイプ部の前記切欠部を、該パイプ部に挿入された前記挿入部の前記凸部と係合させることで、前記シャフトに対する前記グリップの回転方向の動きが規制され、前記リングの前記雌ネジ部を、前記パイプ部に挿入された前記シャフトの前記雄ネジ部と螺合させることで、前記シャフトに対する前記グリップの上下方向の動きが規制されるようにしたことを特徴としている。
【００１５】
また、本発明においては、前記凸部が、棒状部材を前記挿入部に対し径方向に挿通させて、該棒状部材の両側を前記挿入部の外周面から突出させてなることが好ましい。
【００１６】
また、本発明においては、前記挿入部は、一部が外周面から突出するように内側から外側へ付勢されたクリックボールを備え、前記パイプ部は、前記クリックボールと係合可能な凹部を有し、前記パイプ部の前記切欠部を、該パイプ部に挿入された前記挿入部の前記凸部と係合させたときに、前記クリックボールが前記凹部と係合するようにしたことが好ましい。
【発明の効果】
【００１７】
本発明によれば、グリップをシャフトに対して常に一定の向きで取り付けることができ、また使用時にグリップやシャフトが勝手に回転してグリップとシャフトの螺合が緩んでしまうようなことがなく、さらにグリップとシャフトの着脱を簡単に行うことができるステッキを得る。
【図面の簡単な説明】
【００１８】
【図１】本発明に係るグリップ取替ステッキのグリップとシャフトを分離した状態の一例を示し、（ａ）は正面図、（ｂ）は側面図である。
【図２】図１のグリップ取替ステッキのグリップとシャフトをリングにより締め付けて一体化した状態を示し、（ａ）は正面図、（ｂ）は側面図である。
【図３】図１のグリップ取替ステッキの要部断面を示し、（ａ）は正面図、（ｂ）は側面図である。
【図４】図１のグリップ取替ステッキの斜視図を示したものであり、（ａ）はグリップとリングとシャフトを分離した状態を示し、（ｂ）はグリップとシャフトをリングにより締め付けて一体化した状態を示したものである。
【図５】図１のグリップ取替ステッキのグリップとシャフトを分離した状態の一部切断斜視図である。
【図６】図１のグリップ取替ステッキのグリップとシャフトをリングにより締め付けて一体化した状態の一部切断斜視図である。
【図７】従来のスタンド付きステッキの一例を示す説明図である。
【図８】従来の伸縮可能なステッキの一例を示す説明図である。
【発明を実施するための形態】
【００１９】
本発明を実施するための形態を、図１〜図６を用いて詳細に説明する。
本発明のグリップ取替ステッキは図１及び図２に示すようにグリップ２がシャフ１の上部に対し着脱自在に取り付けられている。なお、シャフト１は必ずしも１本ものでなくてもよく、例えばシャフトは折り畳み式や伸縮式のものであってもよい。また、グリップ２は図示した形状に限定されるものではなく、従来ステッキのグリップとして使用されているものであればどのような形状であってもよい。
【００２０】
そして、グリップ２は図３に示すように、シャフト１側に向けてシャフト１の一端を挿入可能な内径を有し、外周に鍔部２２、下端に切欠部２３をそれぞれ有するパイプ部２１と、パイプ部２１の外周に遊嵌されていて、上端に鍔部２２と係止可能な係止部３１と、内周に雌ネジ部３２を有するリング３を備えている。また、シャフト１は図３に示すように、パイプ部２１に挿入可能な外径を有し、外周にパイプ部２１の切欠部２３と係合可能な凸部１２を有する挿入部１１と、挿入部１１より下方の外周にリング３の雌ネジ部３２と螺合可能な雄ネジ部１３を有している。
【００２１】
そして、パイプ部２１の切欠部２３を、パイプ部２１に挿入された挿入部１１の凸部１２と係合させることで、シャフト１に対するグリップ２の回転方向の動きが規制されるようになっている。また、リング３の雌ネジ部３２を、パイプ部２１に挿入されたシャフト１の雄ネジ部１３と螺合させることで、シャフト１に対するグリップ２の上下方向の動きが規制されるようになっている。なお、グリップ２の下部に設けられるパイプ部２１の長さは任意に選択可能であり、例えばパイプ部２１の長さは図１に示すものよりも短くてもあるいは長くてもよく、またパイプ部２１はグリップ２と一体に形成されていてもあるいは別部材により構成されていてもどちらでもよい。また、シャフト１の上部の挿入部１１はシャフト１と一体に形成されていてもあるいは別部材により構成されていてもどちらでもよい。
【００２２】
次に、シャフト１とグリップ２とリング３のそれぞれについて、以下に詳述する。
まず、シャフト１は図１と図３に示すように挿入部１１と凸部１２と雄ネジ部１３とを有している。挿入部１１は図示するようにシャフト１の上端部にシャフト１より小径に形成され、グリップ２のパイプ部２１に丁度挿入できるようになっている。凸部１２はシャフト１の挿入部１１の外周に突出するように設けられている。図示した例では、凸部１２は一本の棒状部材１２１をシャフト１の挿入部１１の直径部分を挿通させ棒状部材１２１の両側を挿入部１１の外周から突出させて凸部１２となるようにしてある。なお、棒状部材１２１は円柱であっても角柱であってもどちらでもよい。また、凸部１２の挿入部１１の外周に対する突出長さは、後述するグリップ２のパイプ部２１下端に形成される切欠部２３と係合できる長さがあればよく、不必要に長くする必要はない。
【００２３】
なお、凸部１２は図示した配置に限定されるものではなく、挿入部１１の外周に対して一箇所以上設けられていればよく、複数箇所設ける場合はシャフト１の径方向に対し対称に設けてもあるいは非対称に設けてもどちらでもよい。対称にした場合は、シャフト１に前後方向を示すマークを付しておくとシャフト交換時に便利である。一方、非対称にすると、グリップ２とは一定の向きでしか結合できなくなるため結合時に注意は必要となるが、常に同じ向きで結合できるため例えば上記したスタンド付きステッキのような場合には便利である。
【００２４】
また、挿入部１１より下方のシャフト１の外周に雄ネジ部１３が形成されている。雄ネジ部１３の設ける位置はリング３との関係で決定されることとなり、図示した位置に限定されるものではないが、シャフト１の凸部１２よりは下方の位置に形成する必要がある。なお、雄ネジ部１３はシャフト１の外周に直接螺設するようにして形成してあっても、あるいは雄ネジ部１３をシャフト１と別部材とし、例えばパイプ状のものの外周に雄ネジ部１３を螺設したものに対しシャフト１の上端部を挿入固定したものであってもよい。
【００２５】
また、シャフト１の挿入部１１には、ばね１４により挿入部１１の中から外周面に向けて突出するように付勢されているクリックボール１５が設けられている。図示した例ではばね１４としてねじりコイルばねを用い、ねじりコイルばねを棒状部材１２１に巻きつけねじりコイルばねの両腕の先端でそれぞれクリックボール１５を押圧するようにしているが、クリックボール１５の付勢方法は図示した例に限定されるものではない。また、図示した例ではクリックボール１５と凸部１２は９０度間隔で配置してそれぞれを２個ずつ設ける例を示したが、クリックボール１５の数と配置は適宜選択可能である。なお、クリックボール１５は必ずしも球体ではなく、例えば円柱状や角柱状であってもよい。
【００２６】
一方、グリップ２のパイプ部２１は図１と図３に示すように鍔部２２と切欠部２３とを有している。鍔部２２はパイプ部２１の外周に鍔状に設けられている。鍔部２２はリング３を係止できればよく、その大きさや形状は適宜選択可能である。また、パイプ部２１に対して鍔部２２を設ける位置も、リング３の大きさや形状との兼ね合いから決定されればよい。
【００２７】
また、グリップ２のパイプ部２１の下端にはシャフト１の挿入部１１の凸部１２と係合するように切欠部２３が形成されている。切欠部２３の大きさ（幅と深さ）や形状はシャフト１の挿入部１１の凸部１２が丁度係合できるような大きさや形状とする。また、切欠部２３の数や位置はシャフト１の挿入部１１がパイプ部２１に挿入されたとき、各切欠部２３が各凸部１２と丁度合致できるように設ける。
【００２８】
また、グリップ２のパイプ部２１にはクリックボール１５と係合可能な凹部２４が形成されている。図示した例では凹部２４として透孔の例を示したが、貫通していない例えば半球状の穴であってもよく、いずれにしてもクリックボール１５が凹部２４と係合できればよい。
【００２９】
一方、リング３は図３と図５に示すように円筒状で一端は小径に形成されていて、その内周にはパイプ部２１の鍔部２２に係止される係止部３１が設けられている。また、内周の適宜位置にはシャフト１の雄ネジ部１３と螺合する雌ネジ部３２が形成されている。なお、リング３の外周は完全な円筒形状であってもよいが、手での締め込み作業を行い易くするために、多角形形状などにしてあってもよい。また、リング３の外径の太さは適宜選択可能であるが、手での締め込み作業に支障がない範囲でできるだけ細い方が、シャフト１からの出っ張りが小さくて済みステッキ使用時の邪魔とならない。
【００３０】
そして、リング３はパイプ部２１の鍔部２２で係止され鍔部２２より下方にリング３が移動せず且つ雌ネジ部３２がシャフト１の雄ネジ部１３に対し螺合可能な向きでパイプ部２１に遊嵌されている。グリップ２のパイプ部２１の切欠部２３が、シャフト１の挿入部１１の凸部１２と係合した状態で、リング３を回転させることによりシャフト１の雄ネジ部１３とリング３の雌ネジ部３２が螺合し、シャフト１とグリップ２が一体化されることとなる。より具体的には、パイプ部２１の切欠部２３が、パイプ部２１に挿入された挿入部１１の凸部１２と係合することにより、シャフト１に対するグリップ２の回転方向の動きが規制され、またリング３の雌ネジ部３２が、パイプ部２１に挿入されたシャフト１の雄ネジ部１３と螺合することで、シャフト１に対するグリップ２の上下方向の動きが規制され、その結果シャフト１とグリップ２は一体化されるのである。
【００３１】
次に、上記した本発明のグリップ取替ステッキに関し、グリップを交換する方法について説明する。以下の説明においてはグリップを交換する場合について述べるが、シャフトを交換する場合も同様である。
まず、グリップ２をシャフト１から取り外すために、グリップ２又はシャフト１のどちらか一方を回転しないようにおさえながらリング３をねじが緩む方向に回転させ、リング３の雌ネジ部３２とシャフト１の雄ネジ部１３の螺合を解く。この状態では、グリップ２のパイプ部２１の凹部２４の透孔に対しシャフト１の挿入部１１のクリックボール１５が係合しているため、リング３を緩めただけではグリップ２はシャフト１から外れない。そこで、グリップ２とシャフト１を引き離す方向に若干の力を加えると、グリップ２のパイプ部２１が移動しようとすることによりクリックボール１５はばね１４による付勢力に抗して挿入部１１の内側方向へ移動させられるため、パイプ部２１の凹部２４に対するクリックボール１５の係合が解かれ、グリップ２をシャフト１から取り外すことができる。
【００３２】
次に、新しいグリップ２を用意し、新しいグリップ２のパイプ部２１に取り外したシャフト１の挿入部１１を挿入する。このとき、グリップ２のパイプ部２１の切欠部２３が、シャフト１の凸部１２と丁度係合するようにグリップ２の向きを調整しながらグリップ１にシャフト２を挿入する。正しい向きで挿入されるとグリップ２のパイプ部２１の切欠部２３とシャフト１の凸部１２が係合するとともに、シャフト１の挿入部１１のクリックボール１５とグリップ２のパイプ部２１の凹部２４が係合し、グリップ２とシャフト１が仮固定される。
【００３３】
次に、リング３をねじ込む方向に回転させ、リング３の雌ネジ部３２とシャフト１の雄ネジ部１３を螺合させる。そして、リング３を完全に締めつけると、シャフト１とグリップ２が一体化されることとなる。シャフト１の凸部１２とグリップ２のパイプ部２１の切欠部２３が係合しているため、リング３を締め付けるに際してはグリップ２又はシャフト１のどちらか一方を回転しないようにおさえれば、リング３を簡単に締め込むことができる。
【００３４】
グリップ２に対してシャフト１が取り付けられる向きは、グリップ２のパイプ部２１の切欠部２３とシャフト１の凸部１２の位置に依存している。一方、リング３はこれを締め付けることによりシャフト１とグリップ２を一体化させることにのみ機能している。したがって、グリップ２はシャフト１に対してリング３の締め込み量とは無関係に常に同じ向きで取り付けられることとなる。すなわち、リング３の締め込み量はグリップ２やシャフト１の向きに影響しないため、リング３の締め込み時にグリップ２やシャフト１の向きを考慮してリング３の締め込み量を調節する必要がない。
【００３５】
また、ステッキ使用時にはシャフト１先端の石突で地面を突く動作を繰り返すこととなるため、ステッキ全体に下向きの力が反復的に働くこととなる。そこで、本発明では、リング３をグリップ２側に設けてシャフト１に対して締め付けるようにし、ステッキ使用時においてリング３には常に下向きの力が働くようにしてある。したがって、リング３は下方へ移動して締め付けることとなる方向には回転しても、上方へ移動して緩むこととなる方向には回転しづらいため、使用時にリング３が緩むことがない。リングを本発明と逆にシャフト側に設け、グリップ側に対して締め込むようにすると、ステッキ使用時にリングには下向きに力が働くため、リングは緩むこととなる方向に簡単に回転してしまう。
【００３６】
なお、シャフト１の挿入部１１のクリックボール１５は必ずしも設けなくてもよいが、クリックボール１５をグリップ２のパイプ部２１の凹部２４に対し係合させることにより、シャフト１の挿入部１１とグリップ２のパイプ部２１を結合した際のがたつきを減少でき、またグリップ２の交換作業時にリング３を締め付けていない状態でもシャフト１に対してグリップ２を仮固定できるため、交換作業が行い易くなる。
【符号の説明】
【００３７】
１      シャフト
１１    挿入部
１２    凸部
１２１  棒状部材
１３    雄ネジ部
１４    ばね
１５    クリックボール
２      グリップ
２１    パイプ部
２２    鍔部
２３    切欠部
２４    凹部
３      リング
３１    係止部
３２    雌ネジ部
【図１】
2015208343.tif 000003
【図２】
2015208343.tif 000004
【図３】
2015208343.tif 000005
【図４】
2015208343.tif 000006
【図５】
2015208343.tif 000007
【図６】
2015208343.tif 000008
【図７】
2015208343.tif 000009
【図８】
2015208343.tif 000010
【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
グリップがシャフトの上部に対し着脱自在に取り付けられるグリップ取替ステッキであって、
前記グリップは、
前記シャフト側に向けて該シャフトの一端を挿入可能な内径を有し、外周に鍔部、下端に切欠部をそれぞれ有するパイプ部と、
前記パイプ部の外周に遊嵌されていて、上端に前記鍔部と係止可能な係止部と、内周に雌ネジ部を有するリングを備え、
前記シャフトは、
前記パイプ部に挿入可能な外径を有し、外周に前記切欠部と係合可能な凸部を有する挿入部と、
前記挿入部より下方の外周に前記雌ネジ部と螺合可能な雄ネジ部を有し、
前記パイプ部の前記切欠部を、該パイプ部に挿入された前記挿入部の前記凸部と係合させることで、前記シャフトに対する前記グリップの回転方向の動きが規制され、
前記リングの前記雌ネジ部を、前記パイプ部に挿入された前記シャフトの前記雄ネジ部と螺合させることで、前記シャフトに対する前記グリップの上下方向の動きが規制され、
前記挿入部は、一部が外周面から突出するように内側から外側へ付勢されたクリックボールを備え、
前記パイプ部は、前記クリックボールと係合可能な凹部を有し、
前記パイプ部の前記切欠部を、前記パイプ部に挿入された前記挿入部の前記凸部と係合させたときに、前記クリックボールが前記凹部と係合するようにしたことを特徴とするグリップ取替ステッキ。
【請求項２】
前記凸部が、棒状部材を前記挿入部に対し径方向に挿通させて、該棒状部材の両側を前記挿入部の外周面から突出させてなることを特徴とする請求項１に記載のグリップ取替ステッキ。
【手続補正２】
【補正対象書類名】明細書
【補正対象項目名】００１４
【補正方法】変更
【補正の内容】
【００１４】
上記の目的を達成するために、本発明のグリップ取替ステッキは、グリップがシャフトの上部に対し着脱自在に取り付けられるグリップ取替ステッキであって、前記グリップは、前記シャフト側に向けて該シャフトの一端を挿入可能な内径を有し、外周に鍔部、下端に切欠部をそれぞれ有するパイプ部と、前記パイプ部の外周に遊嵌されていて、上端に前記鍔部と係止可能な係止部と、内周に雌ネジ部を有するリングを備え、前記シャフトは、前記パイプ部に挿入可能な外径を有し、外周に前記切欠部と係合可能な凸部を有する挿入部と、前記挿入部より下方の外周に前記雌ネジ部と螺合可能な雄ネジ部を有し、前記パイプ部の前記切欠部を、該パイプ部に挿入された前記挿入部の前記凸部と係合させることで、前記シャフトに対する前記グリップの回転方向の動きが規制され、前記リングの前記雌ネジ部を、前記パイプ部に挿入された前記シャフトの前記雄ネジ部と螺合させることで、前記シャフトに対する前記グリップの上下方向の動きが規制され、前記挿入部は、一部が外周面から突出するように内側から外側へ付勢されたクリックボールを備え、前記パイプ部は、前記クリックボールと係合可能な凹部を有し、前記パイプ部の前記切欠部を、前記パイプ部に挿入された前記挿入部の前記凸部と係合させたときに、前記クリックボールが前記凹部と係合するようにしたことを特徴としている。
【手続補正３】
【補正対象書類名】明細書
【補正対象項目名】００１６
【補正方法】削除
【補正の内容】
【手続補正４】
【補正対象書類名】明細書
【補正対象項目名】００３６
【補正方法】変更
【補正の内容】
【００３６】
なお、クリックボール１５をグリップ２のパイプ部２１の凹部２４に対し係合させることにより、シャフト１の挿入部１１とグリップ２のパイプ部２１を結合した際のがたつきを減少でき、またグリップ２の交換作業時にリング３を締め付けていない状態でもシャフト１に対してグリップ２を仮固定できるため、交換作業が行い易くなる。